(57)【要約】【課題】医用画像に関する関連情報を作成する際に、医療従事者の負担の軽減を実現する仕組みを提供する。【解決手段】放射線検出装置１５から、被検体Ｐを撮影して得られた医用画像である放射線画像を取得し、放射線画像を解析することにより得られた解析値または当該撮影に係る撮影制御値が判定条件に該当した場合に、放射線画像に関する関連情報であるキーオブジェクトを生成し、取得した放射線画像及び生成したキーオブジェクトを対応付けて外部装置であるＰＡＣＳ４０等に出力する全体制御部１１２を備える。【選択図】図１
2020089593.tif 000002
【特許請求の範囲】
【請求項１】
被検体を撮影して医用画像を取得する取得手段と、
前記医用画像を解析することにより得られた解析値または前記撮影に係る撮影制御値が判定条件に該当した場合に、前記医用画像に関する関連情報を生成する生成手段と、
前記医用画像および前記関連情報を対応付けて外部装置に出力する出力手段と、
を有することを特徴とする医用情報処理装置。
【請求項２】
前記生成手段は、前記解析値として前記医用画像に含まれる計測対象の長さの計測値を用い、当該計測値が前記判定条件に該当した場合に前記関連情報を生成することを特徴とする請求項１に記載の医用情報処理装置。
【請求項３】
前記生成手段は、前記解析値として前記医用画像に含まれる計測対象の角度の計測値を用い、当該計測値が前記判定条件に該当した場合に前記関連情報を生成することを特徴とする請求項１に記載の医用情報処理装置。
【請求項４】
前記取得手段は、前記医用画像として、前記被検体を放射線撮影して得た放射線画像を取得し、
前記生成手段は、前記解析値として前記放射線画像の線量指標値を用い、当該線量指標値が前記判定条件に該当した場合に前記関連情報を生成することを特徴とする請求項１に記載の医用情報処理装置。
【請求項５】
前記取得手段は、前記医用画像として、前記被検体を放射線撮影して得た放射線画像を取得し、
前記生成手段は、前記撮影制御値として前記放射線撮影に係る放射線撮影制御値を用い、当該放射線撮影制御値が前記判定条件に該当した場合に前記関連情報を生成することを特徴とする請求項１に記載の医用情報処理装置。
【請求項６】
前記放射線撮影制御値は、前記被検体に対して放射線を発生させる放射線発生装置の制御値であることを特徴とする請求項５に記載の医用情報処理装置。
【請求項７】
前記生成手段は、撮影プロトコルごとに設定された前記判定条件を用いることを特徴とする請求項１乃至６のいずれか１項に記載の医用情報処理装置。
【請求項８】
前記関連情報は、前記医用画像を前記対応付けるための参照ＩＤ情報を含むことを特徴とする請求項１乃至７のいずれか１項に記載の医用情報処理装置。
【請求項９】
前記関連情報は、前記医用画像の用途を示すタイトル情報、前記解析に係る解析手段情報および解析結果情報、並びに、当該関連情報を特定するための識別ＩＤ情報を更に含むことを特徴とする請求項８に記載の医用情報処理装置。
【請求項１０】
前記生成手段で前記関連情報が生成された場合に、当該関連情報が生成された旨を表示部に表示させる表示制御手段を更に有することを特徴とする請求項１乃至９のいずれか１項に記載の医用情報処理装置。
【請求項１１】
被検体を撮影して医用画像を取得する取得ステップと、
前記医用画像を解析することにより得られた解析値または前記撮影に係る撮影制御値が判定条件に該当した場合に、前記医用画像に関する関連情報を生成する生成ステップと、
前記医用画像および前記関連情報を対応付けて外部装置に出力する出力ステップと、
を有することを特徴とする医用情報処理方法。
【請求項１２】
コンピュータを、請求項１乃至１０のいずれか１項に記載の医用情報処理装置の各手段として機能させるためのプログラム。
【発明の詳細な説明】
【技術分野】
【０００１】
本発明は、医用情報処理装置、医用情報処理方法及びプログラムに関するものである。
【背景技術】
【０００２】
近年、例えば放射線技師などの医療従事者の更なる役割として、医用画像における読影の補助が求められている。例えば、夜間や休診日などに放射線科医や専門医が不在の場合に、日頃から医用画像を観察している放射線技師が異常を指摘することが期待されている。
【０００３】
例えば放射線技師は、医師に対して撮影中に気づいた点や医用画像について気づいた点を伝える際に、例えばＤＩＣＯＭ規格で定められたキーオブジェクトと呼ばれるコメント情報を使用できる。このキーオブジェクトは、医用画像に関する関連情報であって、例えば医用画像に付与されて医用画像と共に保管装置である画像サーバに出力される。そして、医師は、例えばキーオブジェクトが付与された医用画像を画像サーバから取得し、そのコメント情報を参考にしながら読影を行うことができる。例えば特許文献１には、操作手段を用いた医療従事者の操作に基づきコメント情報を作成し、技師と医師間の情報伝達だけでなく読影医と担当医間といった医師間で読影レポートの補足情報や医用画像を分類する情報などに使用することが記載されている。
【先行技術文献】
【特許文献】
【０００４】
【特許文献１】特開２０１１−１４１８３７号公報
【発明の概要】
【発明が解決しようとする課題】
【０００５】
しかしながら、特許文献１に記載の技術は、医用画像に関する関連情報であるコメント情報を、医療従事者の操作に基づき作成するため、当該関連情報の作成における医療従事者の負担が大きいという問題があった。
【０００６】
本発明は、このような問題点に鑑みてなされたものであり、医用画像に関する関連情報を作成する際に、医療従事者の負担の軽減を実現する仕組みを提供することを目的とする。
【課題を解決するための手段】
【０００７】
本発明の医用情報処理装置は、被検体を撮影して医用画像を取得する取得手段と、前記医用画像を解析することにより得られた解析値または前記撮影に係る撮影制御値が判定条件に該当した場合に、前記医用画像に関する関連情報を生成する生成手段と、前記医用画像および前記関連情報を対応付けて外部装置に出力する出力手段と、を有する。
また、本発明は、上述した医用情報処理装置による医用情報処理方法、及び、上述した医用情報処理装置の各手段としてコンピュータを機能させるためのプログラムを含む。
【発明の効果】
【０００８】
本発明によれば、医用画像に関する関連情報を作成する際に、医療従事者の負担の軽減を実現することができる。
【図面の簡単な説明】
【０００９】
【図１】本発明の第１の実施形態に係る医用情報処理装置を含む医用情報処理システムの概略構成の一例を示す図である。
【図２】図１に示す全体制御部の概略構成の一例を示す図である。
【図３】図２に示す記憶部に記憶されている判定条件テーブルの一例を示す図である。
【図４】図２に示す検査管理部で生成されるキーオブジェクトの一例を示す図である。
【図５】本発明の第１の実施形態を示し、図１の表示部に表示される新規検査入力画面の一例を示す図である。
【図６】本発明の第１の実施形態を示し、図１の表示部に表示される撮影情報入力画面の一例を示す図である。
【図７】本発明の第１の実施形態を示し、図１の表示部に表示される撮影画面の一例を示す図である。
【図８】本発明の第１の実施形態に係る医用情報処理装置による医用情報処理方法としてコブ角計測処理の処理手順の一例を示すフローチャートである。
【図９】本発明の第１の実施形態に係る医用情報処理装置による医用情報処理方法として線量指標値計測処理の処理手順の一例を示すフローチャートである。
【発明を実施するための形態】
【００１０】
以下に、図面を参照しながら、本発明を実施するための形態（実施形態）について説明する。
【００１１】
（第１の実施形態）
まず、本発明の第１の実施形態について説明する。
【００１２】
＜医用情報処理システムの構成＞
図１は、本発明の第１の実施形態に係る医用情報処理装置１０を含む医用情報処理システム１の概略構成の一例を示す図である。医用情報処理システム１は、医用情報処理装置１０、ＨＩＳ（Ｈｏｓｐｉｔａｌ  Ｉｎｆｏｒｍａｔｉｏｎ  Ｓｙｓｔｅｍ）２０、ＲＩＳ（Ｒａｄｉｏｌｏｇｙ  Ｉｎｆｏｒｍａｔｉｏｎ  Ｓｙｓｔｅｍ）３０、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）４０、プリンタ５０、及び、ネットワーク６０を有して構成されている。
【００１３】
医用情報処理装置１０は、被検体Ｈを撮影して得られた医用画像と、当該医用画像に関する関連情報とを対応付けて、これらを医用情報として処理する装置である。ここで、本実施形態では、「医用画像」として、例えばＸ線などの放射線を用いて被検体Ｈを撮影することにより得られる放射線画像を適用した例について説明を行うが、本発明においては、これに限定されるものではなく、他の医用画像を適用することも可能である。また、本実施形態では、「医用画像に関する関連情報」として、上述したキーオブジェクトを適用した例について説明を行うが、本発明においては、これに限定されるものではなく、他の関連情報を適用することも可能である。
【００１４】
医用情報処理装置１０は、ある撮影室に設けられた装置であり、図１に示すように、放射線撮影制御装置１１、ケーブル１２、放射線発生装置１３、ケーブル１４、放射線検出装置１５、及び、撮影台１６を有して構成されている。この医用情報処理装置１０の各構成（１１〜１６）については、後述する。
【００１５】
ＨＩＳ２０は、放射線撮影の進捗を管理する、いわゆる院内情報システムである。ＲＩＳ３０は、いわゆる放射線部門内情報システムである。ＰＡＣＳ４０は、医用情報を保管する保管装置である画像サーバである。プリンタ５０は、印刷出力を行う装置である。
【００１６】
ここで、ＨＩＳ２０は、会計情報を管理するサーバを含んでいてもよい。医用情報処理システム１では、放射線撮影が必要と判断されると、ＨＩＳ２０から検査指示を入力し、依頼先である放射線部門に伝達する。この依頼情報を検査オーダといい、この検査オーダには、依頼元の部門名や、検査項目、患者の個人データなどが含まれる。放射線部門は、ＲＩＳ３０において検査オーダを受信すると、撮影条件などを付加し、これを例えば医用情報処理装置１０へ転送する。そして、医用情報処理装置１０では、受信した検査オーダに従って放射線撮影を実施する。そして、医用情報処理装置１０では、撮影により得られた放射線画像に、当該放射線画像に関する関連情報であるキーオブジェクトなどを含む検査情報付与し、これをＰＡＣＳ４０やプリンタ５０に出力する。また、医用情報処理装置１０での検査の実施情報は、ＨＩＳ２０へ転送される。ＨＩＳ２０へ転送された実施情報は、検査の進捗管理以外に、検査後の会計処理にも用いられる。
【００１７】
ネットワーク６０は、医用情報処理装置１０、ＨＩＳ２０、ＲＩＳ３０、ＰＡＣＳ４０、及び、プリンタ５０を、相互に、通信可能に接続するものである。ネットワーク６０は、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などで構成されている。なお、ネットワーク６０で接続される、医用情報処理装置１０、ＨＩＳ２０、ＲＩＳ３０、ＰＡＣＳ４０及びプリンタ５０の各装置は、例えば１または複数のコンピュータを含み構成されている。この際、それぞれのコンピュータには、例えば、ＣＰＵなどの主制御部、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などの記憶部が具備される。また、それぞれのコンピュータには、ネットワークカードなどの通信部、キーボード、ディスプレイまたはタッチパネルなどの入出力部などが具備されていてもよい。そして、それぞれのコンピュータのこれらの各構成要素は、バスなどにより接続され、主制御部が記憶部に記憶されたプログラムを読み出して実行することで制御される。
【００１８】
＜医用情報処理装置の構成＞
次に、図１に示す医用情報処理装置１０の概略構成について説明する。
上述したように、医用情報処理装置１０は、放射線撮影制御装置１１、ケーブル１２、放射線発生装置１３、ケーブル１４、放射線検出装置１５、及び、撮影台１６を有して構成されている。
【００１９】
放射線撮影制御装置１１は、医用情報処理装置１０の動作を統括的に制御すると共に、各種の処理を行う。この放射線撮影制御装置１１は、図１に示すように、操作部１１１、全体制御部１１２、放射線発生制御部１１３、表示制御部１１４、及び、表示部１１５を有して構成されている。
【００２０】
操作部１１１は、操作者が操作入力した情報を全体制御部１１２に入力する。操作部１１１は、例えば、マウスや操作ボタンなどで構成されている。
【００２１】
全体制御部１１２は、例えば操作部１１１から入力された情報に基づいて、放射線撮影制御装置１１の動作を統括的に制御すると共に、各種の処理を行う。
【００２２】
放射線発生制御部１１３は、ケーブル１２を介して放射線発生装置１３と接続されており、全体制御部１１２の制御に基づいて放射線発生装置１３から発生させる放射線の照射を制御する。放射線発生装置１３は、例えば、放射線管球を含み構成されており、放射線発生制御部１１３の制御に基づいて、被検体Ｈ（例えば、患者の特定部位）に向けて放射線を照射する。ここで、図１に示す例では、被検体Ｈを支持する撮影台１６が設置されている。この撮影台１６は、被検体Ｈを立位の状態または臥位の状態で支持可能に構成されている。
【００２３】
また、全体制御部１１２は、ケーブル１４を介して放射線検出装置１５と接続されており、当該ケーブル１４によって両者の間では、電源や、放射線画像信号、制御信号などが授受される。放射線検出装置１５は、全体制御部１１２の制御に基づいて、被検体Ｈ（更には撮影台１６）を透過した放射線を電気信号として検出し、放射線画像（放射線画像信号）を取得する検出装置である。即ち、放射線発生装置１３及び放射線検出装置１５が連携して動作することにより放射線撮影装置が実現される。なお、放射線検出装置１５は、撮影台１６の所定位置に設置されている。
【００２４】
また、全体制御部１１２は、ＲＩＳ３０から受信した検査オーダのうち少なくとも１つに対応する放射線撮影の開始の実行を指示する指示部としても機能する。検査オーダには、例えば、患者である被検者の情報と当該被検者についての１または複数の撮影部位を含む撮影条件情報が含まれている。ここで、放射線撮影の開始の実行は、例えば操作部１１１を介した操作者からの入力を受けて行う形態のみならず、全体制御部１１２が撮影すべき検査オーダを選択して行う形態であってもよい。
【００２５】
表示制御部１１４は、全体制御部１１２の制御に基づいて、表示部１１５に各種の画像（放射線画像を含む）や各種の情報を表示する制御を行う。
【００２６】
表示部１１５は、例えば、液晶ディスプレイなどで構成されており、表示制御部１１４の制御に基づいて各種の画像や各種の情報を操作者（例えば、撮影技師や医師など）に向けて表示する。なお、表示部１１５及び操作部１１１は、これらが一体となったタッチパネルで実現されてもよい。医用情報処理装置１０において、放射線撮影が実施されると、例えば放射線撮影により得られた放射線画像が表示部１１５に表示される。そして、操作者は、表示部１１５に表示された放射線画像に対して、操作部１１１を介して画像処理や、切り出し、アノテーションの付与、幾何変換などの画像編集を実施しうる。
【００２７】
図２は、図１に示す全体制御部１１２の概略構成の一例を示す図である。この図２では、図１に示す放射線検出装置１５、操作部１１１及び表示部１１５も図示している。
【００２８】
全体制御部１１２は、図２に示すように、撮影制御部１１２１、画像処理部１１２２、記憶部１１２３、判定条件設定部１１２４、判定部１１２５、検査管理部１１２６、及び、出力部１１２７を有して構成されている。
【００２９】
全体制御部１１２は、放射線検出装置１５から出力された放射線画像に対して画像処理などを行う。全体制御部１１２は、コンピュータ上で動作するアプリケーション機能を有している。全体制御部１１２は、放射線検出装置１５の動作を制御するとともに、表示部１１５へ放射線画像を出力したり、グラフィカルユーザーインターフェース（ＧＵＩ）を出力したりする。
【００３０】
撮影制御部１１２１は、放射線検出装置１５の放射線撮影制御を行う。例えば、撮影制御部１１２１は、放射線検出装置１５に蓄積された放射線画像の転送を要求する転送要求信号を放射線検出装置１５に送信し、放射線検出装置１５から放射線画像を受信して取得する。そして、撮影制御部１１２１は、取得した放射線画像を放射線検出装置１５に関する放射線検出装置情報とともに検査管理部１１２６及び画像処理部１１２２に出力する。そして、検査管理部１１２６に出力された放射線画像（放射線検出装置情報も含む）は、検査管理部１１２６において検査情報や撮影プロトコルなどの各種情報と対応付けられて管理される。
【００３１】
画像処理部１１２２は、撮影制御部１１２１から出力された放射線画像の画像処理を行う。具体的に、画像処理部１１２２は、検査管理部１１２６から取得した撮影プロトコルなどの情報を用いて、撮影制御部１１２１から出力された放射線画像に画像処理を行う。ここで画像処理された放射線画像は、表示制御部１１４の制御によって、表示部１１５に表示される。例えば、画像処理部１１２２は、放射線画像に対して、輝度やコントラストのような画像自体を調整する画像処理を行う。さらに、例えば、画像処理部１１２２は、調整済みの放射線画像に対して、切り出しやアノテーションのような加工処理を行うこともできる。また、画像処理部１１２２は、放射線画像に対して、当該放射線画像に含まれる計測対象の特徴量計測に基づく計測値や当該放射線画像の線量指標値を得るための画像解析も行う。そして、この画像解析結果は、検査管理部１１２６において当該放射線画像の検査情報や撮影プロトコルなどの各種情報と対応付けられて管理される。
【００３２】
記憶部１１２３は、検査管理部１１２６で管理される各種情報を記憶する。例えば、記憶部１１２３は、放射線検出装置１５から出力される放射線画像、検査情報や撮影プロトコルなどの情報、撮影方法、検査管理に必要な各種情報を記憶する。また、記憶部１１２３は、検査オーダに関連付けられた撮影プロトコルを、撮影プロトコルを識別する識別情報とともに記憶する。また、記憶部１１２３は、判定条件設定部１１２４で用いる判定条件テーブルの情報も記憶する。
【００３３】
判定条件設定部１１２４は、判定部１１２５における判定条件を設定する。ここで、判定条件は、記憶部１１２３が管理する撮影プロトコルごとに設定することができる。
【００３４】
図３は、図２に示す記憶部１１２３に記憶されている判定条件テーブルの一例を示す図である。図３に示す判定条件テーブルは、判定条件ごとに、判定条件ＩＤを付与するとともに、プロトコルＩＤ及びプロトコル名で特定される撮影プロトコル、解析手段、並びに、タイトルを対応付けるテーブルである。ここで、解析手段は、画像処理部１１２２で行う画像解析に係る解析手段を示している。また、タイトルは、対応する放射線画像の用途を示す情報である。例えば、判定条件設定部１１２４は、プロトコルＩＤがＰ１の骨盤正面プロトコルには判定条件Ｃ１を設定し、プロトコルＩＤがＰ２の腰椎側面プロトコルには判定条件Ｃ２及びＣ３を設定する。なお、後述する判定部１１２５では、プロトコルＩＤがＰ１の骨盤正面プロトコルについては判定条件Ｃ１に基づく判定を行い、また、プロトコルＩＤがＰ２の腰椎側面プロトコルについては判定条件Ｃ２及びＣ３のそれぞれに基づく判定を行う。
【００３５】
判定部１１２５は、画像処理部１１２２で得られた画像解析に基づく解析値が、判定条件設定部１１２４で設定された判定条件に該当するか否か（判定条件を満たすか否か）を判定する。
例えば、判定部１１２５は、判定条件設定部１１２４において図３に示す判定条件Ｃ１が設定された場合には、画像処理部１１２２から放射線画像に含まれる計測対象の高さ差異計測に基づく計測値を取得する。ここでは、例えば、計測対象である骨盤の歪みの計測に基づく長さの計測値が取得される。そして、判定部１１２５は、取得した計測対象の長さの計測値（高さ差異）が、判定条件Ｃ１（高さ差異＞ａ［ｍｍ］）に該当するか否かを判定する。
また、例えば、判定部１１２５は、判定条件設定部１１２４において図３に示す判定条件Ｃ２が設定された場合には、画像処理部１１２２から放射線画像に含まれる計測対象のコブ角計測に基づく計測値を取得する。ここでは、例えば、計測対象である腰椎（脊椎）の湾曲の程度計測に基づく角度の計測値が取得される。そして、判定部１１２５は、取得した計測対象の角度の計測値（コブ角）が、判定条件Ｃ２（コブ角＞ｂ［°］）に該当するか否かを判定する。
また、例えば、判定部１１２５は、判定条件設定部１１２４において図３に示す判定条件Ｃ３が設定された場合には、画像処理部１１２２から放射線画像に含まれる計測対象の長さ計測に基づく計測値を取得する。ここでは、例えば、計測対象である腰椎（脊椎）の長さ計測に基づく長さの計測値が取得される。そして、判定部１１２５は、取得した計測対象の長さの計測値が、判定条件Ｃ３（ｃ＜長さ＜ｄ）に該当するか否かを判定する。
また、例えば、判定部１１２５は、判定条件設定部１１２４において図３に示す判定条件Ｃ４が設定された場合には、画像処理部１１２２からＥＩ（Ｅｘｐｏｓｕｒｅ  Ｉｎｄｅｘ）計測に基づく計測値を取得する。ここでは、例えば、計測対象である胸部の放射線画像の線量指標値であるＥＩを取得する。そして、判定部１１２５は、ＥＩｔ（Ｅｘｐｏｓｕｒｅ  Ｉｎｄｅｘ  Ｔａｒｇｅｔ）を用いて、取得した放射線画像の線量指標値（ＥＩ）が、判定条件Ｃ４（｜ＥＩｔ−ＥＩ｜＜ｅ）に該当するか否かを判定する。
【００３６】
検査管理部１１２６は、検査オーダが関連付けられた撮影方法、撮影条件、画像処理条件等が定義された撮影プロトコルを管理する。また、例えば、放射線撮影制御装置１１において検査情報を生成する場合、検査管理部１１２６は、操作部１１１から入力された被検者情報及び撮影プロトコルを関連付けて新規の検査情報を作成することもできる。これに対して、ＲＩＳ３０から検査が依頼される場合、検査管理部１１２６は、受信した検査オーダと関連付けられた撮影プロトコルの識別情報を用いて、記憶部１１２３に記憶されている撮影プロトコルを抽出する。そして、この場合、検査管理部１１２６は、抽出した撮影プロトコルを検査オーダと関連付け、新規の検査情報を作成する。新規に作成された検査情報は、記憶部１１２３に記憶される。また、検査管理部１１２６は、判定部１１２５から、放射線画像を解析することにより得られた解析値が判定条件に該当した（判定条件を満たした）旨の通知を受信した場合に、放射線画像に関する関連情報であるキーオブジェクトを生成する。
【００３７】
図４は、図２に示す検査管理部１１２６で生成されるキーオブジェクト４１０の一例を示す図である。この図４に示すキーオブジェクト４１０は、図３に示す判定条件Ｃ１に該当した場合に生成されるキーオブジェクトの例を示している。図４に示すキーオブジェクト４１０には、タイトル情報４１１、解析手段情報４１２、解析結果情報４１３、識別ＩＤ情報４１４、及び、参照ＩＤ情報４１５が含まれている。タイトル情報４１１は、医用画像である放射線画像４２０の用途を示す情報であり、図４に示す例では、図３に示す判定条件Ｃ１のタイトルの情報が示されている。解析手段情報４１２は、画像処理部１１２２で放射線画像４２０に対して行う画像解析に係る解析手段を示す情報であり、図４に示す例では、図３に示す判定条件Ｃ１の解析手段の情報が示されている。解析結果情報４１３は、画像処理部１１２２で放射線画像４２０に対して行った画像解析結果を示す情報であり、図４に示す例では、図３に示す判定条件Ｃ１における高さ差異が３０ｍｍである旨を示している。識別ＩＤ情報４１４は、当該キーオブジェクト４１０を特定するための識別ＩＤを示す情報であり、図４に示す例では、当該キーオブジェクト４１０を特定するための識別ＩＤとして「ＫＯ０００１」が示されている。参照ＩＤ情報４１５は、当該キーオブジェクト４１０を放射線画像４２０と対応付けるための参照ＩＤを示す情報であり、図４に示す例では、放射線画像４２０を特定するための参照ＩＤとして「ＩＭＧ０００１」が示されている。
【００３８】
出力部１１２７は、検査管理部１１２６で管理している放射線画像と、当該放射線画像に係る各種の情報とを対応付けて、外部装置であるＰＡＣＳ４０等に出力する。例えば、出力部１１２７は、検査管理部１１２６において、図４に示すキーオブジェクト４１０が生成された場合には、放射線画像４２０及びキーオブジェクト４１０を対応付けて外部装置であるＰＡＣＳ４０等に出力する。この際、出力部１１２７は、検査管理部１１２６で管理している検査情報や撮影プロトコルの情報も放射線画像４２０に付帯させて、外部装置であるＰＡＣＳ４０等に出力しうる。
【００３９】
なお、図１に示す構成は、飽くまで一例であり、適宜変更できる。例えば、図１では、放射線撮影制御装置１１に対してネットワーク６０を介して各種の装置やシステムが接続されているが、放射線撮影制御装置１１は、必ずしもこのような装置やシステムと接続されている必要はない。例えば診断用の放射線画像を含む医用情報がＤＶＤのような可搬型記憶媒体に出力されて記憶され、当該可搬型記憶媒体を介して各種の装置やシステムへ医用情報が入力されてもよい。また、ネットワーク６０は、有線で構成されていても、一部が無線信号伝送路で構成されていてもよい。
【００４０】
＜撮影処理＞
次に、図１に示す医用情報処理システム１による検査の流れに沿って、放射線画像を撮影する際の処理手順について説明する。
【００４１】
まず、検査依頼書またはＲＩＳ３０からの検査オーダにより、医用情報処理装置１０に対して、患者情報及び検査情報が入力される。ここで、患者情報は、患者名、患者ＩＤなどの情報を含み、検査情報は、患者に対して実施する撮影の内容を規定した撮影情報を含む。
【００４２】
続いて、医用情報処理装置１０は、表示制御部１１４の制御によって、新規検査入力画面を表示部１１５に表示する。図５は、本発明の第１の実施形態を示し、図１の表示部１１５に表示される新規検査入力画面５００の一例を示す図である。
【００４３】
図５（ａ）に示す新規検査入力画面５００には、患者情報入力領域５１０、患者情報確定ボタン５２０、依頼検査リスト（検査オーダリスト）表示領域５３０、患者情報表示領域５４０、撮影情報表示領域５５０、撮影情報入力ボタン５６０、及び、検査開始ボタン５７０が設けられている。
【００４４】
依頼検査リスト表示領域５３０には、ＲＩＳ３０から受信した検査オーダが並べられて一覧表示される。続いて、図５（ｂ）に示すように、例えば操作者（医療従事者）が操作部１１１を介して依頼検査リスト表示領域５３０に表示された依頼検査リストの中からいずれか１つの検査５３１を選択すると、患者情報表示領域５４０には、当該選択された検査５３１の患者に対応する患者情報（患者ＩＤ、患者名、生年月日など）が表示される。また、図５（ｂ）に示す撮影情報表示領域５５０には、当該選択された検査５３１の検査ＩＤが表示され、その検査ＩＤが表示された領域の直下の領域に、当該検査ＩＤに対応する撮影情報が表示される。この撮影情報は、上述したように、ＲＩＳ３０から受信する。図５（ｂ）に示す例の場合、撮影情報に対応した撮影方法ボタンである骨盤正面ボタン５５１及び腰椎側面ボタン５５２が配置されている。
【００４５】
また、例えば操作者が操作部１１１を介して図５に示す撮影情報入力ボタン５６０を押下すると、医用情報処理装置１０は、表示制御部１１４の制御によって、撮影情報入力画面を表示部１１５に表示する。図６は、本発明の第１の実施形態を示し、図１の表示部１１５に表示される撮影情報入力画面６００の一例を示す図である。この図６において、図５に示す構成と同様の構成については同じ符号を付しており、その詳細な説明は省略する。
【００４６】
図６に示す撮影情報入力画面６００は、図５に示す新規検査入力画面５００の患者情報入力領域５１０、患者情報確定ボタン５２０及び依頼検査リスト表示領域５３０の部分に、撮影情報入力領域６１０が配置された構成となっている。図６に示す撮影情報入力画面６００の例では、撮影情報入力領域６１０に複数の撮影方法選択ボタン６１１が表示されており、これを選択することで撮影方法を追加できるようになっている。そして、追加された撮影方法は、撮影情報表示領域５５０に、骨盤正面ボタン５５１及び腰椎側面ボタン５５２と並べて表示される。また、各撮影方法は、撮影方法ＩＤと対応付けられている。
【００４７】
そして、操作者が表示部１１５に表示された患者情報及び撮影情報を確認した後、例えば操作部１１１を介して検査開始ボタン５７０を押下すると、医用情報処理装置１０は、実施する検査を確定する。そして、医用情報処理装置１０は、検査開始ボタン５７０の押下に従って、表示制御部１１４の制御によって、撮影画面を表示部１１５に表示する。図７は、本発明の第１の実施形態を示し、図１の表示部１１５に表示される撮影画面７００の一例を示す図である。この図７に示す撮影画面７００は、撮影時に用いられる画面であり、図５に示す構成と同様の構成については同じ符号を付している。
【００４８】
図７（ａ）に示す撮影画面７００−１は、画像表示領域７１０、画像操作ボタン表示領域７２０、メッセージ表示領域７３０、患者情報表示領域５４０、撮影情報表示領域５５０、画像処理設定領域７４０、撮影情報入力ボタン５６０、及び、検査終了ボタン７５０が設けられている。また、画像操作ボタン表示領域７２０には、回転ボタン７２１、反転ボタン７２２、切り出しボタン７２３、アノテーションボタン７２４、再撮影ボタン７２５、高さ差異ボタン７２６、及び、コブ角ボタン７２７が設けられている。
【００４９】
図７（ａ）に示す撮影画面７００−１が表示部１１５に表示されると、撮影情報表示領域５５０内で最も上部に配置された撮影方法ボタンである骨盤正面ボタン５５１がデフォルトで選択状態になっている。これに伴って、医用情報処理装置１０の全体制御部１１２は、当該撮影方法ボタン（撮影方法）に対応して設定された撮影条件（放射線発生装置１３の管電圧や管電流、放射線の照射時間等）を放射線発生制御部１１３に送信する。また、これと共に、全体制御部１１２は、当該撮影条件に従って放射線検出装置１５を制御して放射線撮影の準備を整える。そして、準備が整うと、医用情報処理装置１０は、撮影可能状態へ遷移する。このとき、メッセージ表示領域７３０には、撮影可能状態であることを示す「Ｒｅａｄｙ」のメッセージが表示される。
【００５０】
続いて、操作者が、表示部１１５に表示された撮影方法を確認した後に、撮影のセッティング及び患者のポジショニングを行って一連の撮影準備を完了させる。次いで、操作者が、メッセージ表示領域７３０を参照して撮影可能状態であることを確認した後、操作部１１１の一構成である放射線照射スイッチを押下すると、全体制御部１１２はこれを検知する。そして、全体制御部１１２は、放射線照射スイッチの押下を検知すると、放射線発生制御部１１３を介して放射線発生装置１３から被検体Ｈ（例えば、患者の特定部位）に向けて放射線を照射させ、また、放射線検出装置１５に被検体Ｈ（更には撮影台１６）を透過した放射線を検出させる。これにより、被検体Ｈの放射線画像の撮影が行われる。
【００５１】
そして、撮影が完了すると、全体制御部１１２は、放射線検出装置１５から放射線画像（放射線画像信号）を取得するとともに、当該取得した放射線画像に対して所定の画像処理条件に基づいて画像処理を実施する。所定の画像処理条件は、例えば撮影方法に対応して予め規定されている。そして、画像処理が終了すると、全体制御部１１２は、表示制御部１１４を介して当該画像処理された放射線画像を画像表示領域７１０に表示させる。
【００５２】
そして、操作者は、画像表示領域７１０に表示された放射線画像のコントラストや輝度等を変更したい場合、画像処理設定領域７４０に設けられたコントラストや輝度等のボタンを操作する。また、操作者は、例えば出力画像の切り出し領域を変更したい場合等には、画像操作ボタン表示領域７２０に設けられた各種の調整ボタンを操作する。
【００５３】
例えば、操作者は、画像の一部を切り出す場合には、切り出しボタン７２３及び切り出し枠７１１等を操作して所望の切り出し領域を指定する。また、例えば、操作者は、診断情報となる文字列を付与する場合には、アノテーションボタン７２４等を操作してアノテーション７１２に示すような文字列を放射線画像上に重ねる。また、例えば、操作者は、放射線画像の向きが診断に適さない場合には、回転ボタン７２１や反転ボタン７２２等を使って幾何変換を行う。このように、操作者は、画像表示領域７１０に表示された放射線画像に対して追加の画像編集を実施できる。また、例えば、操作者は、放射線画像の再撮影を行う場合には、再撮影ボタン７２５を操作する。
【００５４】
また、例えば、操作者は、画像表示領域７１０に表示された放射線画像に含まれる計測対象である骨盤の歪みを計測したい場合には、高さ差異ボタン７２６及び高さ差異計測ツール７１４を操作する。ここで、高さ差異計測ツール７１４は、基準線７１４ａ、基準線７１４ａと直交する線７１４ｂ、基準線７１４ａに平行な線であって計測対象の終点を含む線７１４ｃ、基準線７１４ａに平行な線であって計測対象の始点を含む線７１４ｄ、及び、線７１４ｃと線７１４ｄとの間の長さを示す高さ差異７１４ｅを含む。なお、ここでは、高さ差異計測ツール７１４を操作者が操作する説明を行ったが、本実施形態においてはこれに限定されるものではなく、例えば、画像処理部１１２２が画像表示領域７１０に表示された放射線画像を画像解析することによって自動設定してもよい。そして、図７（ａ）に示す例の場合、判定部１１２５は、高さ差異７１４ｅが判定条件Ｃ１（高さ差異＞ａ［ｍｍ］）に該当するか否かを判定することになる。次いで、検査管理部１１２６は、判定部１１２５から、高さ差異７１４ｅが判定条件Ｃ１（高さ差異＞ａ［ｍｍ］）に該当した旨の通知を受信した場合に、放射線画像に関する関連情報であるキーオブジェクト（例えば、図４に示すキーオブジェクト４１０）を生成する。なお、図７に示す撮影画面７００においてキーオブジェクトが作成された場合には、対応する撮影方法ボタンにその旨を表示する形態を採る。図７（ａ）に示す例では、対応する骨盤正面ボタン５５１にキーオブジェクトが作成された旨が表示されていないため、図７（ａ）はキーオブジェクトが作成されなかった例を示している。
【００５５】
図７（ｂ）に示す撮影画面７００−２は、撮影情報表示領域５５０内の腰椎側面ボタン５５２が選択され、全体制御部１１２が、表示制御部１１４を介して放射線撮影によって得られた放射線画像を画像表示領域７１０に表示させた例を示している。そして、例えば、操作者は、画像表示領域７１０に表示された放射線画像に含まれる計測対象である腰椎（脊椎）の湾曲の程度を計測したい場合には、コブ角ボタン７２７及びコブ角計測ツール７１５を操作する。ここで、コブ角計測ツール７１５は、最も傾斜する頭側の椎体上縁を表す線７１５ａ、尾側の椎体の下縁を表す線７１５ｂ、線７１５ａと直交する線７１５ｃ、線７１５ｂと直交する線７１５ｄ、及び、線７１５ｃと線７１５ｄとのなす角度であるコブ角７１５ｅを含む。なお、ここでは、コブ角計測ツール７１５を操作者が操作する説明を行ったが、本実施形態においてはこれに限定されるものではなく、例えば、画像処理部１１２２が画像表示領域７１０に表示された放射線画像を画像解析することによって自動設定してもよい。そして、図７（ｂ）に示す例の場合、判定部１１２５は、コブ角７１５ｅが判定条件Ｃ２（コブ角＞ｂ［°］）に該当するか否かを判定することになる。次いで、検査管理部１１２６は、判定部１１２５から、コブ角７１５ｅが判定条件Ｃ２（コブ角＞ｂ［°］）に該当した旨の通知を受信した場合に、放射線画像に関する関連情報であるキーオブジェクを生成する。図７（ｂ）に示す例では、対応する腰椎側面ボタン５５２にキーオブジェクトが作成された旨を示すキーオブジェクト生成サイン５５２１が表示されているため、図７（ｂ）はキーオブジェクトが作成された例を示している。
【００５６】
また、図７（ａ）及び図７（ｂ）には、画像処理部１１２２が、画像表示領域７１０に表示された放射線画像を画像解析して、当該放射線画像の線量指標値として取得したＥＩの値を、ＥＩｔの値とともに表示したＥＩ表示領域７１３も図示している。
【００５７】
操作者は、上述した手順を繰り返して撮影情報表示領域５５０内の全撮影方法の撮影を実施する。そして、全ての撮影が終了すると、操作者は、検査終了ボタン７５０を押下する。これにより、一連の検査が終了し、放射線撮影制御装置１１は、再度、図５に示す新規検査入力画面５００を表示部１１５に表示する。このとき、放射線撮影制御装置１１は、全体制御部１１２において、その検査情報や撮影条件等を放射線画像の付帯情報として付与した上で、また、キーオブジェクトが作成された場合には当該キーオブジェクトを対応付けた上で、例えば、ＰＡＣＳ４０やプリンタ５０等の外部装置や、自装置におけるＲＯＭ等の記憶部に出力する。なお、ＲＩＳ３０やＲＯＭ等の記憶部においては、放射線画像と患者情報とを関連付けて格納する。
【００５８】
＜計測処理＞
図８は、本発明の第１の実施形態に係る医用情報処理装置１０による医用情報処理方法としてコブ角計測処理の処理手順の一例を示すフローチャートである。以下、図８のコブ角計測処理のフローチャートについて、図７（ｂ）に示す撮影画面７００−２を参照しながら説明を行う。
【００５９】
まず、操作者がコブ角ボタン７２７を押下すると、全体制御部１１２はこれを検知し、ステップＳ１０１において、全体制御部１１２は、コブ角計測処理を開始する。そして、コブ角計測処理が開始されると、全体制御部１１２は、表示制御部１１４の制御によって、図７（ｂ）に示す画像表示領域７１０にコブ角計測ツール７１５を表示する。
【００６０】
続いて、操作者がコブ角計測ツール７１５を操作し、計測点を指定すると（例えば、線７１５ａ及び線７１５ｂを指定すると）、ステップＳ１０２において、画像処理部１１２２は、コブ角７１５ｅを計測する。
【００６１】
そして、コブ角７１５ｅの計測値が得られると、続いて、ステップＳ１０３において、判定部１１２５は、当該プロトコルに判定条件が設定されているか否かを判定する。この判定の結果、当該プロトコルに判定条件が設定されていない場合には（Ｓ１０３／Ｎｏ）、図８のフローチャートの処理を終了する。
【００６２】
一方、ステップＳ１０３の判定の結果、当該プロトコルに判定条件が設定されている場合には（Ｓ１０３／Ｙｅｓ）、ステップＳ１０４に進む。
ステップＳ１０４に進むと、判定部１１２５は、ステップＳ１０２で得たコブ角７１５ｅの計測値が判定条件に該当するか（判定条件を満たすか）否かを判定する。そして、ステップＳ１０４の判定の結果、ステップＳ１０２で得たコブ角７１５ｅの計測値が判定条件に該当しない場合には（Ｓ１０４／Ｎｏ）、図８のフローチャートの処理を終了する。
【００６３】
一方、ステップＳ１０４の判定の結果、ステップＳ１０２で得たコブ角７１５ｅの計測値が判定条件に該当する場合には（Ｓ１０４／Ｙｅｓ）、ステップＳ１０５に進む。
ステップＳ１０５に進むと、検査管理部１１２６は、キーオブジェクトを生成し、これを放射線画像と対応付けて記憶部１１２３に記憶する。そして、検査終了した際には、出力部１１２７は、ステップＳ１０５で生成されたキーオブジェクトを放射線画像と対応付けて外部装置であるＰＡＣＳ４０等に出力する。
【００６４】
続いて、ステップＳ１０６において、表示制御部１１４は、全体制御部１１２（検査管理部１１２６）の制御に基づいて、対応する腰椎側面ボタン５５２にキーオブジェクトが作成された旨を示すキーオブジェクト生成サイン５５２１を表示する。
【００６５】
そして、ステップＳ１０６の処理が終了すると、図８のフローチャートの処理を終了する。
【００６６】
なお、図３に示す判定条件テーブルのプロトコルＩＤがＰ２の腰椎側面プロトコルのように、判定条件が複数設定されている場合には、それぞれの判定条件に対して計測処理のフローチャートの処理が行われる。そして、複数の判定条件に該当する場合には、該当する判定条件ごとにキーオブジェクトが生成される。
【００６７】
図９は、本発明の第１の実施形態に係る医用情報処理装置１０による医用情報処理方法として線量指標値計測処理の処理手順の一例を示すフローチャートである。以下、図９の線量指標値計測処理のフローチャートについて、図７に示す撮影画面７００を参照しながら説明を行う。
【００６８】
図９のフローチャートの処理を開始する前に、操作者は、放射線発生装置１３及び放射線検出装置１５を被検者Ｐに対して設置し、放射線撮影の準備を行う。そして、放射線撮影の準備が整ったら、操作者は、操作部１１１の一構成である放射線照射スイッチを押下する。
【００６９】
そして、放射線照射スイッチの押下を検知すると、ステップＳ２０１において、全体制御部１１２は、放射線発生制御部１１３の制御によって、放射線発生装置１３から被検体Ｐに対して放射線を照射させる。
【００７０】
続いて、ステップＳ２０２において、全体制御部１１２は、放射線検出装置１５において被検体Ｐ（更には撮影台１６）を透過した放射線に基づき得られた放射線画像を、放射線検出装置１５から受信して取得する。具体的に、全体制御部１１２の撮影制御部１１２１は、放射線検出装置１５から撮影実施通知を受け、生成された放射線画像を受信する。そして、撮影制御部１１２１は、取得した放射線画像を検査管理部１１２６に送信し、検査管理部１１２６は、受信した放射線画像を実施した撮影プロトコルと関連付けて、記憶部１１２３に記憶する。また、撮影制御部１１２１は、取得した放射線画像を画像処理部１１２２にも送信する。
【００７１】
続いて、ステップＳ２０３において、画像処理部１１２２は、撮影制御部１１２１から受信した放射線画像を画像解析し、当該放射線画像の線量指標値であるＥＩ（Ｅｘｐｏｓｕｒｅ  Ｉｎｄｅｘ）を算出する。そして、全体制御部１１２は、表示制御部１１４の制御によって、ステップＳ２０３で算出されたＥＩの値を、ＥＩｔ（Ｅｘｐｏｓｕｒｅ  Ｉｎｄｅｘ  Ｔａｒｇｅｔ）の値とともにＥＩ表示領域７１３に表示する。
【００７２】
そして、放射線画像の線量指標値であるＥＩの値が得られると、続いて、ステップＳ２０４において、判定部１１２５は、当該プロトコルに判定条件が設定されているか否かを判定する。この判定の結果、当該プロトコルに判定条件が設定されていない場合には（Ｓ２０４／Ｎｏ）、図９のフローチャートの処理を終了する。
【００７３】
一方、ステップＳ２０４の判定の結果、当該プロトコルに判定条件が設定されている場合には（Ｓ２０４／Ｙｅｓ）、ステップＳ２０５に進む。
ステップＳ２０５に進むと、判定部１１２５は、ステップＳ２０３で得たＥＩの値が判定条件に該当するか（判定条件を満たすか）否かを判定する。そして、ステップＳ２０５の判定の結果、ステップＳ２０３で得たＥＩの値が判定条件に該当しない場合には（Ｓ２０５／Ｎｏ）、図９のフローチャートの処理を終了する。
【００７４】
一方、ステップＳ２０５の判定の結果、ステップＳ２０３で得たＥＩの値が判定条件に該当する場合には（Ｓ２０５／Ｙｅｓ）、ステップＳ２０６に進む。
ステップＳ２０６に進むと、検査管理部１１２６は、キーオブジェクトを生成し、これを放射線画像と対応付けて記憶部１１２３に記憶する。そして、検査終了した際には、出力部１１２７は、ステップＳ２０６で生成されたキーオブジェクトを放射線画像と対応付けて外部装置であるＰＡＣＳ４０等に出力する。
【００７５】
続いて、ステップＳ２０７において、表示制御部１１４は、全体制御部１１２（検査管理部１１２６）の制御に基づいて、例えばＥＩ表示領域７１３にキーオブジェクトが作成された旨を示すキーオブジェクト生成サインを表示する。
【００７６】
そして、ステップＳ２０７の処理が終了すると、図９のフローチャートの処理を終了する。
【００７７】
なお、図３に示す判定条件テーブルのプロトコルＩＤがＰ２の腰椎側面プロトコルのように、判定条件が複数設定されている場合には、それぞれの判定条件に対して計測処理のフローチャートの処理が行われる。そして、複数の判定条件に該当する場合には、該当する判定条件ごとにキーオブジェクトが生成される。
【００７８】
上述したように、第１の実施形態に係る医用情報処理装置１０では、撮影制御部１１２１は、放射線検出装置１５から被検体Ｐを放射線撮影して得られた医用画像である放射線画像を取得するようにしている。この放射線画像を取得する処理を行う撮影制御部１１２１は、取得手段を構成する。そして、検査管理部１１２６は、当該放射線画像を解析することにより得られた解析値が判定条件に該当した場合に、放射線画像に関する関連情報であるキーオブジェクトを生成するようにしている。このキーオブジェクトを生成する処理を行う検査管理部１１２６は、生成手段を構成する。そして、出力部１１２７は、放射線画像及びキーオブジェクトを対応付けて外部装置であるＰＡＣＳ４０等に出力するようにしている。この放射線画像及びキーオブジェクトを出力する処理を行う出力部１１２７は、出力手段を構成する。
かかる構成によれば、医用画像に関する関連情報であるキーオブジェクトを作成する際に、医療従事者の負担の軽減を実現することができる。これにより、医用画像の撮影を効率的に実施することができる。
【００７９】
なお、本発明においては、第１の実施形態で説明した判定条件及び解析値として例示したものに限定されるものではない。
【００８０】
（第２の実施形態）
次に、本発明の第２の実施形態について説明する。なお、以下に記載する第２の実施形態の説明では、上述した第１の実施形態と共通する事項については説明を省略し、上述した第１の実施形態と異なる事項について説明を行う。
【００８１】
第２の実施形態に係る医用情報処理システム１の概略構成は、図１に示す第１の実施形態に係る医用情報処理システム１の概略構成と同様である。即ち、第２の実施形態に係る医用情報処理装置の概略構成は、図１に示す第１の実施形態に係る医用情報処理装置１０の概略構成と同様である。また、第２の実施形態に係る全体制御部の概略構成は、図２に示す第１の実施形態に係る全体制御部１１２の概略構成と同様である。
【００８２】
上述した第１の実施形態では、検査管理部１１２６は、画像処理部１１２２で放射線画像を解析することにより得られた解析値が判定条件に該当した場合に、放射線画像に関する関連情報であるキーオブジェクトを生成するものであった。これに対して、第１の実施形態では、検査管理部１１２６は、放射線撮影に係る放射線撮影制御値が判定条件に該当した場合に、キーオブジェクトを生成するものである。
【００８３】
具体的に、第２の実施形態では、検査管理部１１２６は、被検体Ｐに対して放射線を発生させる放射線発生装置１３の制御値（放射線発生制御部１１３からの制御値）である放射線撮影制御値が判定条件に該当した場合に、キーオブジェクトを生成する。この際、放射線撮影制御値としては、放射線発生装置１３の管電圧（ｋＶ）、管電流（ｍＡ）、放射線の照射時間（ｓ）、放射線の照射量（ｍＡｓ）、画像面積線量積（ｄＧｙｃｍ2）、及び、入射面積量（ｍＧｙ）のうち、少なくとも１つの制御値を適用する。そして、本実施形態では、放射線撮影制御値として適用する制御値ごとに、例えば図３に示す判定条件テーブルと同様の判定条件テーブル（例えば、図３の解析手段を制御値の種類とし、判定条件は当該制御値の判定条件とする等）を記憶部１１２３に記憶する。
【００８４】
上述したように、第２の実施形態に係る医用情報処理装置１０では、検査管理部１１２６は、放射線撮影に係る放射線撮影制御値が判定条件に該当した場合に、キーオブジェクトを生成するようにしている。このキーオブジェクトを生成する処理を行う検査管理部１１２６は、生成手段を構成する。
かかる構成によれば、医用画像に関する関連情報であるキーオブジェクトを作成する際に、医療従事者の負担の軽減を実現することができる。これにより、医用画像の撮影を効率的に実施することができる。
【００８５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００８６】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８７】
１：医用情報処理システム、１０：医用情報処理装置、１１：放射線撮影制御装置、１２：ケーブル、１３：放射線発生装置、１４：ケーブル、１５：放射線検出装置、１６：撮影台、２０：ＨＩＳ、３０：ＲＩＳ、４０：ＰＡＣＳ、５０：プリンタ、６０：ネットワーク、１１１：操作部、１１２：全体制御部、１１３：放射線発生制御部、１１４：表示制御部、１１５：表示部、１１２１：撮影制御部、１１２２：画像処理部、１１２３：記憶部、１１２４：判定条件設定部、１１２５：判定部、１１２６：検査管理部、１１２７：出力部、Ｈ：被検体
【図１】
2020089593.tif 000003
【図２】
2020089593.tif 000004
【図３】
2020089593.tif 000005
【図４】
2020089593.tif 000006
【図５】
2020089593.tif 000007
【図６】
2020089593.tif 000008
【図７】
2020089593.tif 000009
【図８】
2020089593.tif 000010
【図９】
2020089593.tif 000011